(57)【要約】【課題】研磨作業中のウェーハの厚みを検出して、正確に研磨する。【解決手段】表面を研磨中のウェーハ７の厚みを測定する厚み測定方法である。研磨中のウェーハ７の裏面からプローブ光を照射し、１〜２．４μｍの波長の光に特に高い感度を有するフォトダイオードアレイを用いた分散型マルチチャンネル分光器にて反射スペクトルを測定し、その波形を基に厚みを計算する。上記厚み測定方法によりウェーハ７の厚みを測定しながら表面研磨を行い、目標厚みに到達した時点で研磨を終了させる。【選択図】    図１
2005019920.tif 000002
【特許請求の範囲】
【請求項１】
表面を研磨中の薄膜状物の厚みを測定する、表面研磨中の薄膜状物の厚み測定方法において、
上記表面研磨中の薄膜状物の裏面からプローブ光を照射し、１〜２．１μｍの波長の光に特に高い感度を有するフォトダイオードアレイを用いた分散型マルチチャンネル分光器にて反射スペクトルを測定し、その波形を基に厚みを計算することを特徴とする、表面研磨中の薄膜状物の厚み測定方法。
【請求項２】
請求項１記載の表面研磨中の薄膜状物の厚み測定方法において、
上記フォトダイオードアレイとしてＩｎＧａＡｓアレイを用いたことを特徴とする、表面研磨中の薄膜状物の厚み測定方法。
【請求項３】
請求項１又は２記載の表面研磨中の薄膜状物の厚み測定方法において、
上記フォトダイオードアレイの表面に、１〜２．４μｍの波長の光が入射したとき可視光を放出する蛍光塗料を塗布したことを特徴とする、表面研磨中の薄膜状物の厚み測定方法。
【請求項４】
請求項１ないし３のいずれか１項に記載の表面研磨中の薄膜状物の厚み測定方法において、
得られた分光スペクトル中に含まれる、干渉波形の周期（波数間隔）△ｋを測定し、
ｔ＝１／（２ｎ）×［（１／λｍ＋１）−（１／λｍ）］−１
＝１／（２ｎ）×（ｋｍ＋１−ｋｍ）−１＝１／（２ｎ△ｋ）
ｔ：厚み
ｎ：Ｓｉの屈折率
λ：プローブ光の波長
ｍ：整数
の式により表面研磨中の薄膜状物の厚みを計算することを特徴とする、表面研磨中の薄膜状物の厚み測定方法。
【請求項５】
請求項４に記載の表面研磨中の薄膜状物の厚み測定方法において、
自己回帰モデルによる周波数推定により干渉波形の周期△ｋを測定することを特徴とする、表面研磨中の薄膜状物の厚み測定方法。
【請求項６】
請求項１ないし５のいずれか１項に記載の表面研磨中の薄膜状物の厚み測定方法により薄膜状物の厚みを測定しながら表面研磨を行い、目標厚みに到達した時点で研磨を終了させることを特徴とする、表面研磨中の薄膜状物の表面研磨方法。
【請求項７】
請求項６に記載の表面研磨中の薄膜状物の表面研磨方法において、
研磨前に、薄膜状物のセンター厚みを含む薄膜状物の表面内複数箇所の厚みを測定し、以下の式で研磨の目標厚みを決定することを特徴とする、表面研磨中の薄膜状物の表面研磨方法。
ｔｃｆｉｎ＝ｔａｉｍ＋ｔｃ−（ｔｍａｘ＋ｔｍｉｎ）／２
ｔｃｆｉｎ：研磨目標膜厚み
ｔａｉｍ：要求膜厚み
ｔｃ：薄膜状物のセンター厚み
ｔｍａｘ：面内複数測定点中の最大厚み
ｔｍｉｎ：面内複数測定点中の最小厚み
【請求項８】
請求項６に記載の表面研磨中の薄膜状物の表面研磨方法において、
研磨前に、薄膜状物のセンター厚みを含む薄膜状物の表面内複数箇所の厚みを測定し、以下の式で研磨の目標厚みを決定することを特徴とする、表面研磨中の薄膜状物の表面研磨方法。
ｔｃｆｉｎ＝ｔａｉｍ＋ｔｃ−ｔａｖｅ
ｔｃｆｉｎ：研磨目標膜厚み
ｔａｉｍ：要求膜厚み
ｔｃ：薄膜状物のセンター厚み
ｔａｖｅ：面内複数測定点中の平均厚み
【請求項９】
研磨対象の薄膜状物を保持する保持部と、当該保持部を回転可能に支持して回転駆動する本体部とを備えた表面研磨装置において、
上記本体部から上記保持部の回転中心を通して設けられた連通孔と、
当該連通孔に通されてその先端面が上記保持部で保持された表面研磨中の薄膜状物の裏面に望ませて設けられて厚み測定用のプローブ光を照射しその反射光を入射させる光ファイバーと、
上記連通孔のうち上記保持部側の先端部に設けられて光ファイバーの先端を支持する光ファイバー受け部材とを備え、
上記光ファイバー受け部材が、光ファイバーの先端を位置決めして回転自在にかつ着脱自在に支持する支持穴を備え、
当該支持穴が、光ファイバーの直径より僅かに大きな内径を有する小穴部と、この小穴部から連続してテーパ状に形成され光ファイバーの先端を傾斜面に沿って上記小穴部まで案内する案内部とを備えたことを特徴とする表面研磨装置。
【請求項１０】
請求項９記載の表面研磨装置において、
上記光ファイバーが、上記連通孔の先端部から基端開口を通して外部機器まで連続して配設されると共に、光ファイバーの先端面が上記表面研磨中の薄膜状物の裏面に望ませて設けられたことを特徴とする表面研磨装置。
【請求項１１】
請求項９記載の表面研磨装置において、
上記光ファイバーが、上記連通孔に通される孔内ファイバー部と、外部に引き出されて外部機器に接続される外部ファイバー部とからなり、
上記孔内ファイバー部が、上記連通孔内で回転自在に支持されると共に、上記外部ファイバー部が上記孔内ファイバー部と光ファイバーロータリージョイントで接続されたことを特徴とする表面研磨装置。
【請求項１２】
請求項１１記載の表面研磨装置において、
上記孔内ファイバー部として単芯の光ファイバーを用い、
上記外部ファイバー部として、一部が分光器に接続され、残りが赤外白色光源に接続された複数本の光ファイバーを束ねたバンドル型ファイバーを用い、
上記バンドル型ファイバーの有効コア径が、上記単芯の光ファイバーのコア径より小さいことを特徴とする表面研磨装置。
【発明の詳細な説明】
【０００１】
【発明の属する技術分野】
この発明は、半導体ウェーハ等の薄膜状物の表面研磨中に用いる厚み測定方法及び表面研磨方法並びに表面研磨装置に関する。具体的には、ＳＯＩ（Ｓｉｌｉｃｏｎ  Ｏｎ  Ｉｎｓｕｌａｔｏｒ）の活性層表面やシリコンウェーハ表面等の薄膜状物を研磨処理する際に、その厚さを研磨処理と同時に測定して制御する、表面研磨中の薄膜状物の厚み測定方法及び表面研磨方法並びに表面研磨装置に関する。
【０００２】
【従来の技術】
シリコンウェーハはスライス処理後、ラップ処理、エッチング処理を経てポリッシュ工程にてミラー研磨される。Ｓｉウェーハの厚み、ＳＯＩの膜厚の制御は、ＣＭＰ（ケミカル・メカニカル・ポリッシングまたはケミカル・メカニカル・プラナリゼイション）法により行われている。このＣＭＰ法に用いられる基板研磨装置は、基板保持部に装着した基板（半導体ウェーハ）を研磨定盤に固定した研磨パッドに押しつけながら相対運動を与え、研磨剤供給機構から供給される研磨剤（スラリー）の化学的研磨作用と機械的研磨作用とによって基板表面をグローバルに研磨するものである。
【０００３】
ところで、近年、シリコンウェーハの平坦度・平行度に対する要求がいっそう厳しくなってきた。そして、この平坦度・平行度を高めるためには、シリコンウェーハの厚さのコントロールを正確に行うことが必要である。また、ＳＯＩ構造を２枚のウェーハの張り合わせにより形成する場合で、所定の厚さの活性層を得るための研磨にあっては、その厚さのコントロールが重要である。特に、研磨中においてその場で厚さを測定して厚さをコントロールすることが望まれている。この測定精度の善し悪しが、この装置により製造される半導体素子ひいては集積回路の品質を大きく左右する。
【０００４】
近年、ＳＯＩ構造ウェーハは、半導体製造プロセスを利用した微細加工による、マイクロマシンやマイクロセンサーの母材として広く利用されている。この際、ＳＯＩ構造活性層の厚みは微細加工の寸法精度に大きく影響し、ひいては、出来上がったマイクロマシンや、マイクロセンサーの性能にも影響を及ぼす。
【０００５】
しかしながら、従来の基板研磨装置は、いずれも既存の装置の延長線上のものであり、高度化する加工精度の要求を充分に満足していないのが現状である。特に、ロット間での残膜厚のバラツキに対しては、従来の加工時間設定による管理方法では、十分に対応できていない。即ち、単位時間あたりの研磨量（研磨レート）の変動要因としては、例えば研磨パッドの目詰まりの他に研磨加工圧、研磨剤の供給量、それに基板周辺の温度環境など、その時々に変動する種々の要因があるが、この単位時間あたりの研磨量の変動要因に対して、従来の加工時間の設定による管理方法では、十分に対応できていない。
【０００６】
また、加工後の残膜厚を専用の測定装置（光学式膜厚計等）で測定し、これを基板研磨装置にフィードバックして残膜厚を制御する方法も行われている。しかし、この方法では、測定のために研磨作業を一旦停止しなければならないという欠点の他に、次の欠点もある。測定によって、たとえ研磨済みの基板の正確な残膜厚が得られたとしても、上記変動要因のために、最終目標の残膜厚を正確に得ることは依然として困難である。最終目標の残膜厚を正確に得ることの困難性の解決には依然として対応できていない。このため、工程終了点の正確な検知ができず、やはりロット間での膜厚のバラツキが無視できないものになってしまう。
【０００７】
そこで、最近では、光学式による終点検出の開発が急がれている。この光学的終点検出技術の有力例を以下に示す。本技術は、基板保持部に装着した基板（ＳｉウェーハまたはＳＯＩウェーハ）を研磨定盤に固定した研磨パッドに押しつけながら基板の回転運動と研磨パッドの回転運動によって相対運動を与え、研磨剤供給機構から供給される研磨剤（スラリー）の化学的研磨作用と機械的研磨作用とによって基板表面をグローバルに研磨する際に、プローブ光を照射して、研磨工程終了点の検知を行なおうとするものである。具体的には、研磨パッドと研磨定盤、または、基盤保持部に開けられた開口部を通して、光源から発せられるプローブ光を半導体ウェーハ（ＳｉウェーハまたはＳＯＩウェーハ）に向けて照射し、半導体ウェーハからの反射光を、分光器に導き、分光スペクトル中に含まれる干渉波形により、ＳｉウェーハまたはＳＯＩ膜厚の測定を行い、研磨工程終了点の検知を行なおうとするものである。
【０００８】
ところが、これまで提案された終点検出方法においては、いずれも原理的な範囲のみの開示に限られていて、具体的な光学系などの構成部材の配置については明確に開示されていなかった。
【０００９】
これに対して、研磨パッドと研磨定盤に穴をあけて測定する方法として特許文献１が、基盤保持部に穴をあけて測定する方法として特許文献２が提案されている。
【００１０】
【特許文献１】
特開平９−３６０７２号公報
【００１１】
【特許文献２】
特開２００１−２８４３０１号公報
【００１２】
【発明が解決しようとする課題】
ところが、特許文献１には、研磨パッドと研磨定盤に穴をあけて測定する方法は記載されているが、光学センサの構成についての記載がない。この方法では、モニタ装置が、回転する研磨定盤に固定されなければならないが、モニタ装置は光源や光検出器を備えるので、モニタ装置を収納するために研磨定盤の下部に無視できない大きさの収納スペースを必要とする。このことは、ＣＭＰ研磨装置の設計上大きな制約となる。一般に、高価なクリーンルーム内で使用されるＣＭＰ研磨装置のような装置は、装置の小型化と軽量化が特に強く要請されるが、このような収納スペースは、設計の自由度を減らすのみならず、ＣＭＰ研磨装置の小型化・軽量化の大きな障害となる。
【００１３】
また、特許文献２には基盤保持部に穴をあけて測定する方式があるが、ここにも具体的な光学センサーの記載がない。これを実現するためには、使用する分光器の仕様や、具体的に回転するウェーハヘプローブ光を導く際の、光ファイバーの選定方法などの具体的な記載が必要になるが、これらの記載は存在しない。
【００１４】
また、光ファイバーの一端は光学式回転カプラー装置で、他端はウェーハに近接して保持されているが、具体的な構造は記載されていない。光ファイバーの他端側にはウェーハを回転可能に支持するウェーハ保持部が設けられているが、光ファイバーの他端はウェーハに近接して保持する構造となっているため、ウェーハ保持部に保持されているものと解される。この場合、同じ直径のウェーハの表面研磨作業では支障を来すことはないが、直径の異なるウェーハの表面研磨作業では保持部の交換作業に支障を来す。具体的には、光ファイバーの他端を保持部から取り外して保持部を交換した後、光ファイバーの他端を正確な位置に保持し直さなければならず、交換作業が容易でない。
【００１５】
本発明は、上記種々の課題を解決するためになされたもので、表面研磨中の半導体ウェーハ等の薄膜状物の残膜厚の測定または工程終了点の検知を光学的に高精度で行なうことが可能な厚み測定方法を提供し、これを用いて薄膜状物を高精度に研磨することが可能な表面研磨方法及び表面研磨装置を提供することを目的とする。
【００１６】
【課題を解決するための手段】
上記課題を解決するために、第１の発明に係る厚み測定方法は、表面を研磨中の薄膜状物の厚みを測定する、表面研磨中の薄膜状物の厚み測定方法において、上記表面研磨中の薄膜状物の裏面からプローブ光を照射し、１〜２．１μｍの波長の光に特に高い感度を有するフォトダイオードアレイを用いた分散型マルチチャンネル分光器にて反射スペクトルを測定し、その波形を基に厚みを計算することを特徴とする。
【００１７】
上記構成により、測定する波長として１〜２．１μｍの波長の光を使用することにより、研磨に使用する水に対する透過性、Ｓｉ等の透過性、光ファイバーの透過性に優れたプローブ光とすることができ、薄膜状物の裏面から照射して、分散型マルチチャンネル分光器で反射光のスペクトルを測定することで、研磨作業中の薄膜状物の厚みを正確に検出することができる。
【００１８】
第２の発明に係る厚み測定方法は、第１の発明に係る表面研磨中の薄膜状物の厚み測定方法において、上記フォトダイオードアレイとしてＩｎＧａＡｓアレイを用いたことを特徴とする。
【００１９】
上記構成により、ＩｎＧａＡｓアレイによって、１〜２．４μｍの波長の反射光を高い感度で検出して、正確な厚みを検出することができる。
【００２０】
第３の発明に係る厚み測定方法は、第１又は第２の発明に係る表面研磨中の薄膜状物の厚み測定方法において、上記フォトダイオードアレイの表面に、１〜２．４μｍの波長の光が入射したとき可視光を放出する蛍光塗料を塗布したことを特徴とする。
【００２１】
上記構成により、１〜２．４μｍの波長のプローブ光を薄膜状物に照射して反射してくる反射光を、蛍光塗料で可視光に変えてフォトダイオードアレイで確実に検出することができる。
【００２２】
第４の発明に係る厚み測定方法は、第１ないし第３の発明のいずれかに記載の表面研磨中の薄膜状物の厚み測定方法において、得られた分光スペクトル中に含まれる、干渉波形の周期（波数間隔）△ｋを測定し、
ｔ＝１／（２ｎ）×［（１／λｍ＋１）−（１／λｍ）］−１
＝１／（２ｎ）×（ｋｍ＋１−ｋｍ）−１＝１／（２ｎ△ｋ）
ｔ：厚み
ｎ：Ｓｉの屈折率
λ：プローブ光の波長
ｍ：整数
の式により表面研磨中の薄膜状物の厚みを計算することを特徴とする。
【００２３】
上記構成により、薄膜状物の正確な厚みを検出することができる。
【００２４】
第５の発明に係る厚み測定方法は、第４の発明に記載の表面研磨中の薄膜状物の厚み測定方法において、自己回帰モデルによる周波数推定により干渉波形の周期△ｋを測定することを特徴とする。
【００２５】
上記構成により、自己回帰モデルによる周波数推定を用いることにより、膜厚４μｍ以上、特に５μｍ以上の薄膜状物の厚みを正確に測定することができる。
【００２６】
第６の発明に係る表面研磨中の薄膜状物の表面研磨方法は、第１ないし第５の発明のいずれかに記載の表面研磨中の薄膜状物の厚み測定方法により薄膜状物の厚みを測定しながら表面研磨を行い、目標厚みに到達した時点で研磨を終了させることを特徴とする。
【００２７】
上記構成により、ウェーハ等の薄膜状物の表面研磨中に、研磨作業を停止させることなく薄膜状物の厚みを測定することができ、その測定結果に基づいて表面研磨を行い、薄膜状物の厚みが目標厚みに到達するまで、正確に研磨することができる。
【００２８】
第７の発明に係る表面研磨中の薄膜状物の表面研磨方法は、第６の発明に係る表面研磨中の薄膜状物の表面研磨方法において、研磨前に、薄膜状物のセンター厚みを含む薄膜状物の表面内複数箇所の厚みを測定し、以下の式で研磨の目標厚みを決定することを特徴とする。
【００２９】
ｔｃｆｉｎ＝ｔａｉｍ＋ｔｃ−（ｔｍａｘ＋ｔｍｉｎ）／２
ｔｃｆｉｎ：研磨目標膜厚み
ｔａｉｍ：要求膜厚み
ｔｃ：薄膜状物のセンター厚み
ｔｍａｘ：面内複数測定点中の最大厚み
ｔｍｉｎ：面内複数測定点中の最小厚み
上記構成により、研磨目標膜厚みに合わせて、薄膜状物の表面研磨を正確に行うことができる。
【００３０】
第８の発明に係る表面研磨中の薄膜状物の表面研磨方法は、第６の発明に係る表面研磨中の薄膜状物の表面研磨方法において、研磨前に、薄膜状物のセンター厚みを含む薄膜状物の表面内複数箇所の厚みを測定し、以下の式で研磨の目標厚みを決定することを特徴とする。
【００３１】
ｔｃｆｉｎ＝ｔａｉｍ＋ｔｃ−ｔａｖｅ
ｔｃｆｉｎ：研磨目標膜厚み
ｔａｉｍ：要求膜厚み
ｔｃ：薄膜状物のセンター厚み
ｔａｖｅ：面内複数測定点中の平均厚み
上記構成により、研磨目標膜厚みに合わせて、薄膜状物の表面研磨を正確に行うことができる。
【００３２】
第９の発明に係る表面研磨装置は、研磨対象の薄膜状物を保持する保持部と、当該保持部を回転可能に支持して回転駆動する本体部とを備えた表面研磨装置において、上記本体部から上記保持部の回転中心を通して設けられた連通孔と、当該連通孔に通されてその先端面が上記保持部で保持された表面研磨中の薄膜状物の裏面に望ませて設けられる光ファイバーと、上記連通孔のうち上記保持部側の先端部に設けられて光ファイバーの先端を支持する光ファイバー受け部材とを備え、上記光ファイバー受け部材が、光ファイバーの先端を位置決めして回転自在にかつ着脱自在に支持する支持穴を備え、当該支持穴が、光ファイバーの直径より僅かに大きな内径を有する小穴部と、この小穴部から連続してテーパ状に形成され光ファイバーの先端を傾斜面に沿って上記小穴部まで案内する案内部とを備えたことを特徴とする。
【００３３】
上記構成により、光ファイバーを連通孔に装着する場合は、光ファイバーを連通孔に通し、この連通孔の先端部の光ファイバー受け部材の支持穴に光ファイバーの先端を挿入する。このとき、光ファイバーの先端は、案内部の傾斜面に沿って小穴部まで案内され、小穴部に挿入して支持される。これにより、光ファイバーを容易に着脱することができる。
【００３４】
第１０の発明に係る表面研磨装置は、第９の発明に係る表面研磨装置において、上記光ファイバーが、上記連通孔の先端部から基端開口を通して外部機器まで連続して配設されると共に、光ファイバーの先端面が上記表面研磨中の薄膜状物の裏面に望ませて設けられたことを特徴とする。
【００３５】
上記構成により、光ファイバーの先端面から表面研磨中の薄膜状物の裏面にプローブ光が照射されると共にその反射光が先端面から光ファイバー内に侵入して外部機器まで伝送される。これにより、プローブ光を正確に照射し、その反射光を確実に検出することができる。
【００３６】
光ファイバーの先端は、光ファイバー受け部材に固定で無く回転自由に挿入されている状態であるので、薄膜状物を保持して回転する保持部の影響を受けることなく、表面研磨中の薄膜状物の厚みを正確に測定しながら、目標の厚さまで薄膜状物を正確に研磨できる。
【００３７】
第１１の発明に係る表面研磨装置は、第９の発明に係る表面研磨装置において、上記光ファイバーが、上記連通孔に通される孔内ファイバー部と、外部に引き出されて外部機器に接続される外部ファイバー部とからなり、上記孔内ファイバー部が、上記連通孔内で回転自在に支持されると共に、上記外部ファイバー部が上記孔内ファイバー部と光ファイバーロータリージョイントで接続されたことを特徴とする。
【００３８】
上記構成により、孔内ファイバー部を連通孔内に挿入することにより、孔内ファイバー部は、その基端部を連通孔内に回転自在に支持されると共に、その先端部を光ファイバー受け部材の支持穴に回転自在に支持される。さらに、孔内ファイバー部と外部ファイバー部とは、光ファイバーロータリージョイントで回転を吸収しながら接続される。これにより、薄膜状物を保持して回転する保持部の影響を受けることなく、表面研磨中の薄膜状物の厚みを正確に測定しながら、目標厚さまで薄膜状物を正確に研磨することができる。
【００３９】
第１２の発明に係る表面研磨装置は、第１１の発明に係る表面研磨装置において、上記孔内ファイバー部として単芯の光ファイバーを用い、上記外部ファイバー部として、一部が分光器に接続され、残りが赤外白色光源に接続された複数本の光ファイバーを束ねたバンドル型ファイバーを用い、上記バンドル型ファイバーの有効コア径が、上記単芯の光ファイバーのコア径より小さいことを特徴とする。
【００４０】
上記構成により、外部ファイバー部のうち赤外白色光源に接続された複数本の光ファイバーから孔内ファイバー部の単芯の光ファイバーにプローブ光が伝送されて孔内ファイバー部の先端面から薄膜状物の裏面に照射される。薄膜状物の裏面からの反射光は、孔内ファイバー部の先端面から外部ファイバー部の一部の光ファイバーを伝搬して分光器に入射する。これにより、プローブ光を薄膜状物の裏面に確実に照射して、その反射光を確実に検出することができる。
【００４１】
【発明の実施の形態】
以下、本発明の実施形態について、添付図面を参照しながら説明する。
【００４２】
［表面研磨装置］
表面研磨装置１は、図１及び図２に示すように主に、保持部２と、本体部３と、研磨定盤４と、制御部５とから構成されている。
【００４３】
保持部２は、研磨対象の薄膜状物としてのウェーハ７を保持するための部材である。この保持部２は、後述する本体部３の回転支持部９の下端に下方へ向けて回転可能に支持されている。保持部２の下側面は、ウェーハ７を吸着する面となっている。具体的には、保持部２の下側面に真空引きするための複数の吸引口（図示せず）が設けられている。
【００４４】
本体部３は、保持部２を回転可能に支持し、研磨に際して保持部２を設定回転数で回転駆動するための部分である。この本体部３は、基部８と、回転支持部９とから構成されている。基部８は、床部に固定されて回転支持部９を支持するための部材である。回転支持部９は、保持部２を回転駆動するための部材である。この回転支持部９は、基部８に支持された状態で、保持部２を研磨定盤４に望ませて支持している。回転支持部９内には、保持部２を回転駆動するための駆動装置（図示せず）が設けられている。ここでは、駆動装置が保持部２を毎分１００回転させるように設定されている。
【００４５】
本体部３の回転支持部９内には、保持部２の下側面の吸引口に連通して真空引きするための吸引孔１１が設けられている。この吸引孔１１は、回転支持部９内の中央部に上下に貫通して設けられた吸引筒１２によって構成されている。この吸引筒１２は、保持部２に一体的に接続され、保持部２と共に回転するようになっている。
【００４６】
吸引孔１１の下方の先端部は、保持部２の下側面に複数開口した吸引口にそれぞれ連通されている。吸引孔１１の上方の基端部は、吸引筒１２によって本体部３の回転支持部９から突出して構成され、上方に開口されている。この基端開口には、真空ポンプまで延びたパイプ１３が接続されている。
【００４７】
さらに、本体部３の回転支持部９内の吸引孔１１は、光ファイバー１５を通すための連通孔になっている。この連通孔としての吸引孔１１に通される光ファイバー１５は、その先端面が、保持部２で保持された表面研磨中のウェーハ７の裏面（図中の上側面）に望ませて設けられる。
【００４８】
吸引孔１１のうち保持部２側の先端部には光ファイバー受け部材１７が設けられている。この光ファイバー受け部材１７は、光ファイバー１５の先端を位置決めして回転自在にかつ着脱自在に支持するための部材である。
【００４９】
光ファイバー受け部材１７は、図３から図６に示すように、筒体部１８と、ネジ部１９と、支持穴２０とから構成されている。筒体部１８は、その中央に支持穴２０を設けられるための部材である。この筒体部１８は、肉厚の円盤状に形成され、その上側面に支持穴２０が上方へ開口して設けられている。さらに、筒体部１８の上側面にはドライバー用溝１８Ａが設けられ、ネジ部１９を保持部２側にねじ込む場合にドライバーが嵌合される。
【００５０】
ネジ部１９は、筒体部１８の下側に連続的に設けられ、光ファイバー受け部材１７を保持部２に固定するための部材である。ネジ部１９の外周にネジ山１９Ａが設けられ、中央部に支持穴２０が通されている。
【００５１】
支持穴２０は、光ファイバー１５の先端を挿入することで直接的に位置決めして回転自在にかつ着脱自在に支持するための穴である。支持穴２０は、小穴部２２と、案内部２３とから構成されている。
【００５２】
小穴部２２は、上側小穴部２２Ａと、下側小穴部２２Ｂとから構成されている。上側小穴部２２Ａは、光ファイバー１５の直径よりもある程度大きめの内径に設定され、光ファイバー１５の先端が余裕をもって挿入されるようになっている。上側小穴部２２Ａの下端には、テーパ２２Ｃが設けられ、光ファイバー１５の先端を下側小穴部２２Ｂにスムーズに挿入できるようになっている。テーパ２２Ｃは、孔内ファイバー部２６の先端を、上側小穴部２２Ａから下側小穴部２２Ｂに案内して挿入させるための部分である。
【００５３】
下側小穴部２２Ｂは、光ファイバー１５の直径より僅かに大きな内径に設定されている。この小径の下側小穴部２２Ｂに光ファイバー１５の先端を挿入することで、光ファイバー１５の先端面が正確に位置決めされて、ウェーハ７の裏面にプローブ光を照射し、反射光を検出できるようになっている。さらに、下側小穴部２２Ｂは、光ファイバー１５の直径より僅かに大きな内径にすることで、光ファイバー１５を回転自在にかつ着脱自在に支持するようになっている。
【００５４】
案内部２３は、光ファイバー１５の先端を小穴部２２まで案内するための部材である。この案内部２３は、小穴部２２の上側小穴部２２Ａから連続したテーパ状の傾斜面を備えて構成され、光ファイバー１５の先端を傾斜面に沿って小穴部２２まで案内するようになっている。
【００５５】
光ファイバー受け部材１７は、摩擦係数の小さいフッ素樹脂（ポリテトラフルオロエチレン）で構成され、光ファイバー１５の先端が小穴部２２にスムーズに出入りできるようになっている。
【００５６】
光ファイバー１５は、図１、図２及び図７に示すように、その先端部を光ファイバー受け部材１７に位置決めされた状態で、吸引孔１１の先端部から基端開口を通して制御部５まで配設されている。光ファイバー１５は、孔内ファイバー部２６と、外部ファイバー部２７と、光ファイバーロータリージョイント２８とから構成されている。
【００５７】
孔内ファイバー部２６は吸引孔１１内に挿入されて、光ファイバーロータリージョイント２８で回転自在に支持されている。孔内ファイバー部２６は、単芯の光ファイバー２６Ａ（図８参照）によって構成され、その内部をプローブ光と反射光が通るようになっている。なお、単芯光ファイバーを使用するのは、孔内ファイバー部２６は回転する場合があるので、回転時にも透過光量が変化しないようにするためである。孔内ファイバー部２６の長さは、孔内ファイバー部２６が吸引孔１１内に装着された状態で、その先端面が光ファイバー受け部材１７に挿入されてウェーハ７の裏面に１ｍｍ以内の間隔で望むように設定されている。これは、あまり離しすぎると孔内ファイバー部２６の先端面から出た光が広がってしまい、検出できる光量が少なくなってしまうためである。
【００５８】
外部ファイバー部２７は、孔内ファイバー部２６と光学的に接続された状態で、外部に引き出されて制御部５と接続するための光ファイバーである。外部ファイバー部２７は、複数本の光ファイバーを束ねたバンドル型ファイバー２７Ａ（図８参照）によって構成されている。なおここでは、２本の光ファイバーを束ねてバンドル型ファイバー２７Ａが構成されている。このバンドル型ファイバー２７Ａの複数本の光ファイバー１５のうち一部が後述する制御部５の分光器５２に接続され、残りが赤外白色光源５１に接続されている。バンドル型ファイバー２７Ａの有効コア径Ｄ２（図１０参照）は、孔内ファイバー部２６の単芯光ファイバー２６Ａのコア径Ｄ１（図９参照）より小さく設定されている。これにより、赤外白色光源５１からのプローブ光の全てが単芯光ファイバー２６Ａに入射し、十分な光量の反射光がバンドル型ファイバー２７Ａを介して分光器５２に入射するようになっている。この際、ウェーハ７からの反射する干渉光を十分に確保するために、コア径Ｄ１、Ｄ２は近いものが望ましい。
【００５９】
光ファイバーロータリージョイント２８は、孔内ファイバー部２６と外部ファイバー部２７とを回転自在に接続するための部材である。この光ファイバーロータリージョイント２８によって、外部ファイバー部２７と孔内ファイバー部２６とが回転を吸収された状態で、互いのファイバー端面間隔が０．１ｍｍとなるように配置して接続されている。光ファイバーロータリージョイント２８は、外側カバー部３１と、内側カバー部３２と、外側挿入プラグ３３と、内側挿入プラグ３４とから構成されている。
【００６０】
外側カバー部３１は、吸引筒１２の基端開口を塞ぐと共に、外側挿入プラグ３３を挿入支持するための部材である。外側カバー部３１は、下方に開口した二重筒状に形成され、外側筒部３１Ａと内側筒部３１Ｂとを備えている。外側筒部３１Ａは吸引筒１２にベアリング３６で回転可能に取り付けられている。外側筒部３１Ａと吸引筒１２との間には、ベアリング３６によって回転可能に支持された状態でその間を気密に封止するためのシール材３７が設けられている。
【００６１】
内側筒部３１Ｂは、上下に貫通して設けられている。この内側筒部３１Ｂに、外側挿入プラグ３３と内側挿入プラグ３４とが挿入されて、互いに光学的に接続される。内側筒部３１Ｂ内は、外側挿入プラグ受け部３１Ｃと、内側挿入プラグ受け部３１Ｄとから構成されている。外側挿入プラグ受け部３１Ｃは、後述する外側挿入プラグ３３の筒部４１が気密に挿入される部分である。この外側挿入プラグ受け部３１Ｃと外側挿入プラグ３３の筒部４１との間には気密性を保つためのシール材３９が設けられる。
【００６２】
内側挿入プラグ受け部３１Ｄは、後述する内側挿入プラグ３４の筒部４３が挿入される部分である。この内側挿入プラグ受け部３１Ｄと内側挿入プラグ３４の筒部３５との間には０．１〜０．５ｍｍの隙間が設けられ、内側挿入プラグ３４の筒部３５が内側挿入プラグ受け部３１Ｄと接触することなく回転でき、かつ軸方向に移動できるようになっている。内側筒部３１Ｂの外周面には、雄ネジが形成され、内側カバー部３２がねじ込まれるようになっている。
【００６３】
内側カバー部３２は、孔内ファイバー部２６の基端部（上端部）を回転可能にかつ上下に僅かに移動できるように支持するための部材である。内側カバー部３２は、その底部に開口３２Ａを有する袋ナットによって構成されている。内側カバー部３２の内径は、後述する内側挿入プラグ３４の鍔部４４の外径よりも僅かに大きく設定され、内側挿入プラグ３４の回転及び軸方向への移動が自由にできるようになっている。開口３２Ａの内径は、後述する内側挿入プラグ３４の筒部４３の外径よりも僅かに大きく設定され、内側挿入プラグ３４の回転及び軸方向への移動が自由にできるようになっている。これにより、孔内ファイバー部２６にあそびが設けられている。これは、孔内ファイバー部２６が何らかの外力による影響を受けたときに、それを吸収して孔内ファイバー部２６が損傷を受けないようにするためである。
【００６４】
内側カバー部３２の内側面には雌ネジが形成され、外側カバー部３１の内側筒部３１Ｂの雄ネジにねじ込まれて固定される。このとき、内側筒部３１Ｂと内側カバー部３２の底部との間隔は、そこに内側挿入プラグ３４の鍔部４４が挿入されたときに０．１〜０．５ｍｍ程度の隙間ができるようにネジが設定されている。これにより、内側挿入プラグ３４（孔内ファイバー部２６）が軸方向に０．１〜０．５ｍｍ程度の間隔で移動できるようになっている。
【００６５】
さらに、内側挿入プラグ３４が内側カバー部３２内に挿入されて、内側カバー部３２が外側カバー部３１の内側筒部３１Ｂにねじ込まれることにより、この内側挿入プラグ３４の光軸と外側挿入プラグ３３の光軸とが一致するようになっている。
【００６６】
外側挿入プラグ３３は、外部ファイバー部２７の先端部を外側カバー部３１の外側挿入プラグ受け部３１Ｃに取り付けるための部材である。この外側挿入プラグ３３は、筒部４１と、鍔部４２とから構成されている。
【００６７】
筒部４１は、外側カバー部３１の外側挿入プラグ受け部３１Ｃに挿入されるための部材である。この筒部４１は、外部ファイバー部２７の先端部にこの外部ファイバー部２７を把持した状態で取り付けられている。これにより、筒部４１が外側カバー部３１の外側挿入プラグ受け部３１Ｃに挿入されることで、外部ファイバー部２７の光軸が設定位置に調整されて孔内ファイバー部２６と接続されるようになっている。
【００６８】
鍔部４２は、外側カバー部３１の外側挿入プラグ受け部３１Ｃに挿入される筒部４１を設定深さで支持するための部材である。この鍔部４２は、筒部４１の外周に設けられ、筒部４１が外側挿入プラグ受け部３１Ｃと同じ深さまで挿入されたところで外側カバー部３１に当接して、筒部４１を設定深さで支持するようになっている。
【００６９】
内側挿入プラグ３４は、孔内ファイバー部２６の基端部を外側カバー部３１の内側挿入プラグ３４受け部３１Ｄに取り付けるための部材である。この内側挿入プラグ３４は、筒部４３と、鍔部４４とから構成されている。
【００７０】
筒部４３は、外側カバー部３１の内側挿入プラグ３４受け部３１Ｄ及び内側カバー部３２の開口３２Ａに挿入されるための部材である。この筒部４３は、孔内ファイバー部２６の基端部にこの孔内ファイバー部２６を把持した状態で取り付けられている。これにより、筒部４３が、内側カバー部３２と外側カバー部３１の内側筒部３１Ｂとの間に装着されることで、孔内ファイバー部２６の光軸が設定位置に調整されて外部ファイバー部２７と接続されるようになっている。
【００７１】
鍔部４４は筒部４３を支持するための部材である。この鍔部４４は、筒部４３の外周に設けられている。鍔部４４の外径は、内側カバー部３２の開口３２Ａの内径よりも僅かに小さく設定され、内側挿入プラグ３４が内側カバー部３２内で、回転方向及び上下方向に自由に移動できるようになっている。これにより、孔内ファイバー部２６は、通常、外部ファイバー部２７と同様に回転せずに支持され、研磨作業中に回転している吸引筒１２や光ファイバー受け部材１７の内壁面に接触して回転方向や上下方向に力が掛かったときでも、自由に回転及び移動できる内側挿入プラグ３４によってその力が解消されて、孔内ファイバー部２６へのダメージを防止している。
【００７２】
これにより、光ファイバー１５を吸引孔１１に装着する場合は、光ファイバー１５の孔内ファイバー部２６を吸引孔１１に通して、光ファイバーロータリージョイント２８を吸引筒１２の上端部に取り付ける。孔内ファイバー部２６の先端は、吸引孔１１の先端部の光ファイバー受け部材１７の支持穴２０に挿入する。このとき、孔内ファイバー部２６の先端は、案内部２３の傾斜面に沿って上側小穴部２２Ａ内に案内され、テーパ２２Ｃに案内されて下側小穴部２２Ｂに挿入されて支持される。保持部２をウェーハ７の直径に合わせて異なる大きさの保持部２に取り替える場合は、保持部２を回転支持部９から下方へ外す。これにより、孔内ファイバー部２６の先端は、光ファイバー受け部材１７の小穴部２２から抜き取られる。別の寸法の保持部２を回転支持部９にその下側から取り付けるときは、下方へ垂下した孔内ファイバー部２６の先端が光ファイバー受け部材１７の案内部２３で案内されて小穴部２２の上側小穴部２２Ａからテーパ２２Ｃを介して下側小穴部２２Ｂに挿入される。これにより、孔内ファイバー部２６を正確にかつ容易に着脱することができるようになる。即ち、保持部２の交換作業が容易になる。ウェーハ７のサイズに合わせて、保持部２を容易に交換することができる。
【００７３】
研磨定盤４は、図１及び図２に示すように、テーブル４６と、回転軸４７から構成されている。テーブル４６の上側面には、研磨クロスが貼り付けられ、ウェーハ７の表面を研磨する。回転軸４７は、テーブル４６を設定された回転速度で回転駆動する。回転軸４７には、テーブル４６を設定速度で回転させるための駆動装置（図示せず）が設けられている。
【００７４】
制御部５は、赤外白色光源５１と、分光器５２と、パーソナルコンピュータ５３とから構成されている。
【００７５】
赤外白色光源５１は、プローブ光を生成するための光源である。プローブ光の波長として可視光域の光を用いる場合、Ｓｉ層が厚くなると、光が透過しなくなるため、基盤保持部のＳＯＩウェーハの裏面から測定する方法は困難である。当然、ＳＯＩにくらべ厚いウェーハ総厚みを測定することは困難である。このため、プローブ光の波長は、研磨に使用する水の透過帯（１．０μｍ〜１．４μｍ，１．５μｍ〜１．９μｍ，２．１〜２．４μｍ、図１１参照）と、Ｓｉの透過帯（１μｍ以上）と、Ｇｅドープ石英光ファイバー透過帯（０．４μｍ〜２．１μｍ）により、１〜２．４μｍが望ましい。これにより、水の影響を抑制しつつ、ハンドリングに優れる光ファイバーを適用でき、かつウェーハの裏面からの測定が可能となる。
【００７６】
赤外白色光源５１としては、市販のハロゲン光源を用いており、赤外線を出力できるように、内部の赤外カットフィルターを取り除き、ランプの反射板を赤外での反射特性が均一な金蒸着のものに交換してある。
【００７７】
分光器５２は、ウェーハ７からの反射光の干渉を測定するための装置である。
【００７８】
Ｓｉ層厚を測定する方法としては、可視光域のフォトダイオードアレイによる分散型分光器を用いてスペクトルを測定するものと、フーリエ変換型赤外分光光度計（ＦＴＩＲ）により赤外の分光スペクトルを採取する方法の２方式がある。
【００７９】
これらの測定原理は、分光器を用いて光の干渉方式により厚みを測定するものである。例えば、ＳＯＩウェーハの場合、図１２のような配置でウェーハ裏面から光を入れて反射光強度を測定すると、次の式を満たす場合に干渉により透過強度が極大となる。
【００８０】
２ｔｎ＝ｍλｍ（ｍ：整数）                    ・・・・（１）
２ｔｎ＝（ｍ＋１）λｍ＋１                    ・・・・（２）
ｎ：Ｓｉの屈折率（＝３．４５）
（１）、（２）式より
ｔ＝１／（２ｎ）×［（１／λｍ＋１）−（１／λｍ）］−１
＝１／（２ｎ）×（ｋｍ＋１−ｋｍ）−１＝１／（２ｎ△ｋ）  ・・・・（３）
ｔ：厚み
ｎ：Ｓｉの屈折率
λ：プローブ光の波長
ｍ：整数
このようにして分光特性を調べると、厚みｔに反比例した△ｋごとの透過強度の極大値を観察できる。また、その干渉強度は、測定対象厚みに依存しており、その強度からも厚みを求めることができる。
【００８１】
なお、研磨プロセス中の測定では、ウェーハ７の裏面のワックスのむら、孔内ファイバー部２６の先端面のよごれ、ウェーハ７上の水、回転に伴う若干の偏芯等の種々の条件により光量変動が生じうる。これに対しては、波数間隔は原理的に光学系の透過強度によらず一定であるため、このような透過率が変動しうる測定には最適である。
【００８２】
ＦＴＩＲによる測定例を図１３に示す。このＦＴＩＲを用いた場合、内部でマイケルソン干渉計のミラーを機械的に走査するため、測定に時間がかかり、安定したスペクトルを採取することができない。また、光ファイバーを適用可能かつ水の透過帯（１．４μｍ以下または、１．５μｍ〜１．９μｍ）を測定するためには、高価かつ液体窒素での冷却が必要なＩｎＳｂ検出器を用いる必要がある。また、ＦＴＩＲは非常に装置が大がかりで、光学系が振動に弱く、多くの設置スペースを要求されたり、振動の多い研磨プロセスには設置困難な場合がある。
【００８３】
これに対して、フォトダイオードを用いた分散型マルチチャンネル分光器は、ＦＴＩＲとは異なり、一般に小型（数十ｃｍ角以下）であり、光学系にもよるが通常数十ｍｓｅｃの露光時間でも測定に十分なスペクトルを得ることができる。このため、回転しているウェーハから光を導く際に、光強度（光ファイバー偏芯などによる透過率変動）に変化があったとしても、その影響を受けることなく測定を行うことができる。このことは、一点の測定時間が短くなり、高応答速度のリアルタイムな厚み出力が可能となることを意味する。このため、分光器５２として、フォトダイオードを用いた分散型マルチチャンネル分光器を用いる。この分光器５２の概略構成を図１４に示す。分光器５２は主に、スリット５５と、回折格子５６と、フォトダイオードアレイ５７とから構成されている。スリット５５は、外部ファイバー部２７を伝搬してきた反射光を回折格子５６の幅に絞る。回折格子５６は、反射光を回折させてフォトダイオードアレイ５７に入射させる。フォトダイオードアレイ５７は、入射光を、干渉による強弱に応じた電圧に変換してパーソナルコンピュータ５３に出力する。
【００８４】
この分光器５２のフォトダイオードアレイ５７としては、５１２ＣＨのＩｎＧａＡｓアレイを用いた。これにより、測定波長域０．８５μｍ〜１．７５μｍを素子分解能０．００１７５μｍ（１．７５ｎｍ）で測定が可能である。波数に換算すると、だいたい１０ｃｍ−１（Ｓｉ厚みにして百数十μｍ相当であり、サンプリングの定理からすると５０μｍ過ぎまで厚み測定ができる）以上の分解能で測定ができる。スリットは２５μｍとし、露光時間５０ｍｓｅｃで測定する。
【００８５】
なお、近赤外光に感度を有するフォトダイオードアレイとして、安価なＳｉフォトダイオードアレイ上に赤外光誘起蛍光物質（赤外光を可視光に変換する物質）を塗布した赤外検出型のものも使用できる。この場合は、測定波長が赤外光誘起蛍光物質の赤外線検出感度（一般に、１．４５μｍ〜１．６５μｍに感度を有するものが市販されている）に制限されるが、高密度なアレイ化技術が実現されているＳｉフォトダイオードを用いるため、高分解能にすることができ、△ｋが小さくなるＳｉウェーハ自体の厚み測定にも使用できる。
【００８６】
パーソナルコンピュータ５３は、フォトダイオードアレイ５７からの信号に基づいてウェーハ７の厚みを計算すると共に、表面研磨前のウェーハ７の複数点の厚みから研磨目標厚みを計算する。さらに、パーソナルコンピュータ５３は、表面研磨装置１の全体を制御する。
【００８７】
ウェーハ７の厚みは、上記（３）式に基づいて計算する。
【００８８】
研磨目標厚みは次の式により計算する。
【００８９】
表面研磨前に、ウェーハ７のセンター厚みを含むウェーハ７の表面内複数箇所の厚みを測定し、以下の式で研磨の目標厚みを決定する。
【００９０】
ｔｃｆｉｎ＝ｔａｉｍ＋ｔｃ−（ｔｍａｘ＋ｔｍｉｎ）／２    ・・・・（４）
ｔｃｆｉｎ：研磨目標膜厚み
ｔａｉｍ：要求膜厚み
ｔｃ：薄膜状物のセンター厚み
ｔｍａｘ：面内複数測定点中の最大厚み
ｔｍｉｎ：面内複数測定点中の最小厚み
または、以下の式で研磨の目標厚みを決定する。
【００９１】
ｔｃｆｉｎ＝ｔａｉｍ＋ｔｃ−ｔａｖｅ                    ・・・・（５）
ｔｃｆｉｎ：研磨目標膜厚み
ｔａｉｍ：要求膜厚み
ｔｃ：薄膜状物のセンター厚み
ｔａｖｅ：面内複数測定点中の平均厚み
上記上記（４）又は（５）式により、要求膜厚からの偏差が少なくなるように、研磨終点を決める。
【００９２】
パーソナルコンピュータ５３では、分光器５２から０．５秒ごとにスペクトルを採取し、ピークバレイ法または最大エントロピー法で膜厚を算出している。
【００９３】
アレイを用いた分光では、用いるアレイ分光器のＣＨ数に制限があり、分解能に限りがある。このため、厚みが厚くなり、極大値・極小値を直接読みとれなくなると、計算ができなくなる。このため、少ないデータ点数でも分解能を任意に向上可能な最大エントロピー法を適用することが望ましい。これにより、厚み測定分解能を向上させることができる。
【００９４】
［表面研磨中の薄膜状物の厚み測定方法及び表面研磨方法］
次に、上記構成の表面研磨装置１を用いた、表面研磨中の薄膜状物の厚み測定方法及び表面研磨方法について、添付図面を参照しながら説明する。  なおこの例では、ＳＯＩウェーハ研磨時のＳＯＩ層厚みを測定する際に使用している。
【００９５】
まず、研磨目標厚みを決める。研磨前に、研磨対象のウェーハ７の複数箇所で厚みを測定する。この測定値を基に、上記（４）又は（５）式によって研磨目標膜厚みを算出する。この算出した研磨目標膜厚みを基に、図１５の表のように、表面研磨中のウェーハ７の厚みを測定しながら、研磨目標膜厚みに近づけていく。
【００９６】
表面研磨作業を行うに際しては、まず、表面研磨装置１の保持部２及び研磨定盤４を設定回転数で回転させて、研磨定盤４のテーブル４６の研磨クロスでウェーハ７の表面の研磨を開始する。
【００９７】
次いで、制御部５の赤外白色光源５１から赤外白色光（プローブ光）を発生させ、このプローブ光をウェーハ７の裏面に照射させる。具体的には、赤外白色光源５１からのプローブ光を、外部ファイバー部２７、光ファイバーロータリージョイント２８を介して孔内ファイバー部２６に入射させ、孔内ファイバー部２６の先端面から０．１ｍｍ程度の隙間を介して回転している表面研磨中のウェーハ７の裏面に照射させる。
【００９８】
ウェーハ７のＳＯＩ層に照射された光は干渉をおこし、波長毎に極大と極小をもった反射光を生じる。この反射光は孔内ファイバー部２６の先端面から内部に侵入して、その一部が外部ファイバー部２７を介して制御部５の分光器５２まで伝送される。
【００９９】
分光器５２に伝送された反射光は、分光器５２内の回折格子５６にて空間的に波長毎に分散されて、フォトダイオードアレイ５７に照射される。そして、フォトダイオードアレイ５７でＣＨ毎の光強度が電気信号に変換される。このようにして、ＳＯＩウェーハ７の表面の干渉スペクトルが測定される。
【０１００】
測定されたスペクトルは、パーソナルコンピュータ５３にて波数間隔△ｋを測定し、屈折率ｎを用いて、上記（３）式により厚みに換算される。
【０１０１】
図１６に、表面研磨中のウェーハ７の厚み測定値の変動を示す。光量は若干変動しているが、回転によらず一定の膜厚を出力している。
【０１０２】
図１７に、本発明の厚み測定方法による測定精度の検証を行った結果を示す。本厚み計で測定した終点厚みと、研磨終了後に従来からあるＦＴＩＲを用いたオフライン厚み計と比較を行った。実際に測定したところでは厚みは４０μｍ程度まで安定して測定可能であり、サンプリングの定理限界までの範囲で、運用に十分な精度３σ＝１．２μｍで測定可能であった。
【０１０３】
これにより、保持部２の影響を受けることなく、表面研磨中のウェーハ７の厚みを正確に測定しながら、目標厚さまでウェーハ７を正確に研磨することができるようになる。
【０１０４】
［変形例］
上記実施形態では、光ファイバー１５を、孔内ファイバー部２６と外部ファイバー部２７に分割して光ファイバーロータリージョイント２８で接続したが、孔内ファイバー部２６と外部ファイバー部２７を分割せず、光ファイバーロータリージョイント２８も設けずに、連続した光ファイバー１５で、光ファイバー受け部材１７から制御部５の赤外白色光源５１及び分光器５２まで接続してもよい。この場合、赤外白色光源５１及び分光器５２を、ハーフミラーで光ファイバー１５にそれぞれ接続してもよい。また、赤外白色光源５１及び分光器５２にそれぞれ１本の光ファイバー１５を接続して、各光ファイバー１５を光ファイバー受け部材１７からウェーハ７の裏面に臨ませて設けてもよい。この場合は、各光ファイバー１５をウェーハ７の裏面に垂線に対して対照的に同じ角度を持たせて配設する。これにより、赤外白色光源５１に接続された光ファイバー１５の先端面からウェーハ７の裏面にプローブ光を照射すれば、その反射光が分光器５２に接続された光ファイバー１５の先端面に入射して分光器５２まで伝送されることになる。
【０１０５】
この場合も、保持部２の影響を受けることなく、表面研磨中のウェーハ７の厚みを正確に測定しながら、目標厚さまでウェーハ７を正確に研磨することができるようになる。
【０１０６】
【発明の効果】
以上、詳述したように、本発明の表面研磨中の薄膜状物の厚み測定方法及び表面研磨方法並びに表面研磨装置によれば、次のような効果を奏することができる。
【０１０７】
（１）  測定する波長として１〜２．４μｍの波長の光を使用することにより、研磨に使用する水に対する透過性、Ｓｉ等の透過性、光ファイバーの透過性に優れたプローブ光とすることができ、薄膜状物の裏面から照射して、分散型マルチチャンネル分光器で反射光のスペクトルを測定することが、研磨作業中の薄膜状物の厚みを安定して、かつ正確に検出することができる。
【０１０８】
（２）  フォトダイオードアレイとしてＩｎＧａＡｓアレイを用いたので、１〜２．４μｍの波長の反射光を高い感度で検出することができ、表面研磨中の薄膜状物の正確な厚みを検出することができる。
【０１０９】
近年、デバイス技術の進歩により、１〜２．５μｍ付近に感度を有する、ＩｎＧａＡｓフォトダイオードを５１２ＣＨ以上でアレイ化可能となってきているため、表面研磨装置１のコスト低減も図ることができる。
【０１１０】
（３）  フォトダイオードアレイの表面に、１〜２．４μｍの波長の光が入射したとき可視光を放出する蛍光塗料を塗布したので、１〜２．４μｍの波長のプローブ光を薄膜状物に照射して反射してくる反射光を、蛍光塗料で可視光に変えてフォトダイオードアレイで確実に検出することができる。
【０１１１】
（４）  得られた分光スペクトル中に含まれる、干渉波形の周期（波数間隔）△ｋを測定し、ｔ＝１／（２ｎ△ｋ）式により表面研磨中の薄膜状物の厚みを計算することにより、薄膜状物の正確な厚みを検出することができるようになる。
【０１１２】
（５）  自己回帰モデルによる周波数推定により干渉波形の周期△ｋを測定することにより、膜厚４μｍ以上、特に５μｍ以上の薄膜状物の厚みを正確に測定することができる。
【０１１３】
（６）  第１ないし第５の発明のいずれかに記載の表面研磨中の薄膜状物の厚み測定方法により薄膜状物の厚みを測定しながら表面研磨を行い、目標厚みに到達した時点で研磨を終了させることにより、ウェーハ等の薄膜状物の表面研磨中に、研磨作業を停止させることなく薄膜状物の厚みを測定することができ、その測定結果に基づいて、正確に研磨することができる。これにより、薄膜状物の品質及び歩留り率を大幅に向上させることができる。
【０１１４】
（７）  研磨前に、薄膜状物のセンター厚みを含む薄膜状物の表面内複数箇所の厚みを測定し、ｔｃｆｉｎ＝ｔａｉｍ＋ｔｃ−（ｔｍａｘ＋ｔｍｉｎ）／２で研磨の目標厚みを決定することにより、研磨目標膜厚みに合わせて、薄膜状物の表面研磨を正確に行うことができる。
【０１１５】
（８）  研磨前に、薄膜状物のセンター厚みを含む薄膜状物の表面内複数箇所の厚みを測定し、ｔｃｆｉｎ＝ｔａｉｍ＋ｔｃ−ｔａｖｅで研磨の目標厚みを決定することにより、研磨目標膜厚みに合わせて、薄膜状物の表面研磨を正確に行うことができる。
【０１１６】
（９）  光ファイバー受け部材を、光ファイバーの先端を位置決めして回転自在にかつ着脱自在に支持する支持穴を備え、当該支持穴が、光ファイバーの直径より僅かに大きな内径を有する小穴部と、この小穴部から連続してテーパ状に形成され光ファイバーの先端を傾斜面に沿って上記小穴部まで案内する案内部とを備えたので、光ファイバーを容易に着脱することができると共に、光ファイバーの損傷を防止することができる。
【０１１７】
（１０）  光ファイバーを、連通孔の先端部から基端開口を通して外部機器まで連続して配設すると共に、光ファイバーの先端面を表面研磨中の薄膜状物の裏面に望ませて設けたので、プローブ光を正確に照射し、その反射光の確実に検出することができる。
【０１１８】
（１１）  光ファイバーを、連通孔に通される孔内ファイバー部と、外部に引き出されて外部機器に接続される外部ファイバー部とから構成し、上記孔内ファイバー部を上記連通孔内で回転自在に支持すると共に、上記外部ファイバー部を上記孔内ファイバー部と光ファイバーロータリージョイントで回転を吸収しながら接続したので、薄膜状物を保持して回転する保持部の影響を受けることなく、表面研磨中の薄膜状物の厚みを正確に測定しながら、目標厚さまで薄膜状物を正確に研磨することができる。
【０１１９】
（１２）  孔内ファイバー部として単芯の光ファイバーを用い、外部ファイバー部として、一部が分光器に接続され、残りが赤外白色光源に接続された複数本の光ファイバーを束ねたバンドル型ファイバーを用い、バンドル型ファイバーの有効コア径を、単芯の光ファイバーのコア径より小さくしたので、プローブ光を薄膜状物の裏面に確実に照射して、その反射光を確実に検出することができる。
【図面の簡単な説明】
【図１】本発明の実施形態に係る表面研磨装置を示す概略構成図である。
【図２】本発明の実施形態に係る表面研磨装置を示す概略構成図である。
【図３】本発明の実施形態に係る表面研磨装置の光ファイバー受け部材を示す斜視図である。
【図４】光ファイバー受け部材を示す平面図である。
【図５】光ファイバー受け部材を示す正面断面図である。
【図６】光ファイバー受け部材を保持部の先端に取り付けた状態を示す要部断面図である。
【図７】光ファイバーロータリージョイントを示す要部断面図である。
【図８】単芯光ファイバー及びバンドル型ファイバーを示す横断面図である。
【図９】単芯光ファイバーを示す縦断面図である。
【図１０】バンドル型ファイバーを示す縦断面図である。
【図１１】水の透過率を示すグラフである。
【図１２】ＳＯＩ槽の測定例を示す概略構成図である。
【図１３】反射光の強度と波数の関係を示すグラフである。
【図１４】分光器の構成例を示す概略構成図である。
【図１５】表面研磨作業中の作業時間と薄膜状物の厚みの変動の関係を示すグラフである。
【図１６】オフラインでの厚み計測値と表面研磨中の厚み測定値とを比較したグラフである。
【図１７】膜厚測定値及び最大強度と時間の関係を示すグラフである。
【符号の説明】
１：表面研磨装置、２：保持部、３：本体部、４：研磨定盤、５：制御部、７：ウェーハ、８：基部、９：回転支持部、１１：吸引孔、１２：吸引筒、１３：パイプ、１５：光ファイバー、１７：光ファイバー受け部材、１８：筒体部、１９：ネジ部、２０：支持穴、２２：小穴部、２３：案内部、２６：孔内ファイバー部、２７：外部ファイバー部、２８：光ファイバーロータリージョイント、３１：外側カバー部、３２：内側カバー部、３３：外側挿入プラグ、３４：内側挿入プラグ、３５：筒部、３６：ベアリング、３７：シール材、３９：シール材、４１：筒部、４２：鍔部、４３：筒部、４４：鍔部、４６：テーブル、４７：回転軸、５１：赤外白色光源、５２：分光器、５３：パーソナルコンピュータ、５５：スリット、５６：回折格子、５７：フォトダイオードアレイ。
【図１】
2005019920.tif 000003
【図２】
2005019920.tif 000004
【図３】
2005019920.tif 000005
【図４】
2005019920.tif 000006
【図５】
2005019920.tif 000007
【図６】
2005019920.tif 000008
【図７】
2005019920.tif 000009
【図８】
2005019920.tif 000010
【図９】
2005019920.tif 000011
【図１０】
2005019920.tif 000012
【図１１】
2005019920.tif 000013
【図１２】
2005019920.tif 000014
【図１３】
2005019920.tif 000015
【図１４】
2005019920.tif 000016
【図１５】
2005019920.tif 000017
【図１６】
2005019920.tif 000018
【図１７】
2005019920.tif 000019